(57)【要約】掛け布や敷き布として使用する際には外側に現れる部分が内側に隠れ、当該部分が汚れることを抑制でき、かつ、外側に現れる部分に対して掛け布と異なる任意のデザインを施すことができるため、携帯して用いる場合の装飾性も良好な掛け敷き布を提供すること。【解決手段】本考案の掛け敷き布１は、折りたたんで携帯具等とした場合に外側に現れる別布１４及び第２の別布１５が、第１の布体１１及び第２の布体１２の内面に載置されることにより掛け敷き布１の内側に隠れる構成であるため、通常の掛け布や敷き布として使用する場合には別布等１４，１５が汚れることがなく、掛け敷き布１の汚損を効率よく抑制することができる。また、別布１４及び第２の別布１５に対して掛け敷き布１と異なる任意のデザインを施すことができるため、折りたたんで携帯する場合におけるデザインのバリエーションが広がり、装飾性が良好である。【選択図】図３
0003127128.tif 000002
【実用新案登録請求の範囲】
【請求項１】
略矩形状の第１の布体と第２の布体を重ね合わせて袋状とした掛け敷き布であって、
前記第１の布体の内面には、略矩形状の別布が、当該別布の隅部が前記第１の布体の隅部に当接するように載置され、
前記別布の４辺のうち前記別布の隅部から延びる２辺は、前記第１の布体の隅部から延びる縦辺及び横辺に当接あるいは沿った状態で固定され、
前記第２の布体の内面には、前記別布と略同形状の第２の別布が、当該第２の別布の隅部が前記第２の布体の隅部に当接するように載置され、
前記第２の別布の４辺のうち前記第２の別布の隅部から延びる２辺は、前記第２の布体の隅部から延びる縦辺及び横辺に当接あるいは沿った状態で固定され、
前記別布の残りの２辺と前記第２の別布の残りの２辺は、前記第１の布体及び前記第２の布体には固定されず、前記別布の残りの２辺と前記第２の別布の残りの２辺の対応する辺同士が接合され、
前記第１の布体の隅部及び前記第２の布体の隅部から延びる２辺には、前記別布及び前記第２の別布の隅部から延びる２辺に沿ってリバーシブルファスナーが取り付けられ、
前記第１の布体の隅部及び前記第２の布体の隅部から延びる２辺が開閉自在とされていることを特徴とする掛け敷き布。
【請求項２】
略矩形状の第１の布体と第２の布体を重ね合わせて袋状とした掛け敷き布であって、
前記第１の布体の内面には、略矩形状の別布が、当該別布の隅部が前記第１の布体の隅部に当接するように載置され、
前記別布の４辺のうち前記別布の隅部から延びる２辺は、前記第１の布体の隅部から延びる縦辺及び横辺に当接あるいは沿った状態で固定され、
前記第２の布体の内面には、前記別布と略同形状の第２の別布が、当該第２の別布の隅部が前記第２の布体の隅部に当接するように載置され、
前記第２の別布の４辺のうち前記第２の別布の隅部から延びる２辺は、前記第２の布体の隅部から延びる縦辺及び横辺に当接あるいは沿った状態で固定され、
前記別布の残りの２辺と前記第２の別布の残りの２辺は、前記第１の布体及び前記第２の布体の少なくとも一つに固定され、前記別布の残りの２辺と前記第２の別布の残りの２辺の対応する辺同士が接合され、
前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする掛け敷き布。
【請求項３】
前記別布及び／または前記第２の別布の表面に対して装飾処理が施されている請求項１または請求項２に記載の掛け敷き布。
【請求項４】
前記別布及び前記第２の別布の形状が、前記掛け敷き布の横辺の１／２と同じかやや長い長さを長辺または短辺とする略長方形状、あるいは前記掛け敷き布の横辺の１／３と同じかやや長い長さを長辺または短辺とする略長方形状であることを特徴とする請求項１ないし請求項３のいずれかに記載の掛け敷き布。
【請求項５】
前記別布及び前記第２の別布の形状が、前記掛け敷き布の横辺の１／２と同じかやや長い長さを１辺とする略正方形状、あるいは前記掛け敷き布の横辺の１／３と同じかやや長い長さを１辺とする略正方形状であることを特徴とする請求項１ないし請求項３のいずれかに記載の掛け敷き布。
【請求項６】
前記別布及び／または前記第２の別布の表面における任意の隅部あるいは隅部付近にタブが取り付けられていることを特徴とする請求項１ないし請求項５のいずれかに記載の掛け敷き布。
【考案の詳細な説明】
【技術分野】
【０００１】
本考案は、掛け敷き布に関する。更に詳しくは、通常時はひざ掛け等の掛け布や敷き布として使用することができるとともに、コンパクトに折りたたんで携帯可能な掛け敷き布に関する。
【背景技術】
【０００２】
人体の保温等の目的で、ひざ掛け、肩掛け、毛布、ベビー毛布、おくるみ、ベットパット、シュラフや、掛け布団、敷き布団等の掛け布ないし敷き布（以下、総称して「掛け敷き布」という場合がある。）が広く使用されている。例えば、ひざ掛けは、椅子等に着座している使用者の保温等の目的で使用され、具体的には、上部領域を大腿部の上に載せ、下部領域を下腿部の前方及び側方に垂らした状態で使用される。一方、これらの掛け敷き布は、携帯性に乏しく、たとえ薄手のものであっても、それを持ち運ぶためにはある程度の大きさまでそれを折りたたんで手提げ袋等に収納する必要があった。
【０００３】
このようなことから、別途形成された正方形状ないしは長方形状の袋体等に掛け敷き布を折りたたんだ状態で収納することにより、収納時には携帯具やクッション等の外観を呈するようにした商品が開発されている。しかしながら、このような商品においては、別途形成された袋体の形状に合わせて掛け敷き布を折りたたみ、折りたたんだものをスライドファスナー等が配設された袋体の開口部から収納する操作が非常に面倒であった。加えて、袋体が邪魔になったり、袋体を紛失してしまったりするという問題が発生していた。
【０００４】
かかる問題を解決するために、掛け敷き布に袋体の構成を兼ね備えるようにして、通常使用時には展開状態で掛け布や敷き布として使用できるとともに、掛け布等として使用しない場合にあっては、小さく折りたたんだ状態で保持でき、携帯して手元に置くことができる携帯具、あるいは緩衝性を備えたクッションや座布団（以下、総称して「クッション」とする場合がある。）にして使用することができる掛け布や敷き布が提供されていた。かかる掛け布や敷き布としては、例えば、四隅の少なくとも一つに適度な重量を有し、四隅のそれぞれに第１の結合手段を設けるとともに、方形の隣接する辺の中間点を結ぶ直線に沿って同一側に折り畳んだ際に、前記四隅と対向する位置に、前記第１の結合手段のそれぞれと分離可能に固定する第２の結合手段を設けた膝掛けが提供されている（例えば、特許文献１を参照。）。また、任意形状の布地の上部に、腰止部、を設けると共に、布地の適所にポケット部を設け、更に下部適所に裾止部を設け、かつ布地の裏面適所に収納袋を重着したことを特徴とする携帯用ひざかけが提供されている（例えば、特許文献２を参照。）。
【０００５】
また、折りたたんだ際にクッションとなるものについては、綿，ポリエステル等の、防寒性を有する布材より長方形状に形成され、人の体全体を包容することのできる程度の大きさの布団、マットの部分と、該布団、マットの部分の短辺の間の中央部にその開口部を短辺の内側にしてポケット状に縫着され、布団、マットの部分を畳んで収納するクッションまたは座布団のサイズを持った収納部とを具備し、布団、マットまたは、寝袋として使用しない場合には布団、マットの部分を収納部とほぼ同じ大きさに畳み、収納部を裏返して収納部内に収納して、クッション、または座布団を構成するようにし、布団、マットの部分を収納部より取りだし展開して布団、マットとして使用する多用途クッションが提供されている（例えば、特許文献３を参照。）
【０００６】
【特許文献１】実用新案登録番号第３０１０４１９号公報（［請求項２］、［図１］）
【特許文献２】特開２００２−２１２８１６号公報（［請求項１］、［図３］）
【特許文献３】特開２００４−３２１４１５号公報（［請求項１］、［図１］）
【考案の開示】
【考案が解決しようとする課題】
【０００７】
しかしながら、前記した特許文献に開示される従来の構成にあっては、外側に別途配設された袋体に対して掛け敷き布等を折りたたんで収納するため、折りたたんだ状態で携帯具やクッションとして外側に現れる部分は、掛け敷き布として使用する時も含め常に外側に現れてしまうため、外側に現れる部分が汚れやすくなってしまい、衛生上好ましくなかった。また、このように袋体が外側に現れる構成をとることから、当該袋体に対して掛け敷き布と異なるデザインを施すことができないため、折りたたんで携帯具等として使った場合の装飾性に乏しかった。
【０００８】
本考案は、前記の課題に鑑みてなされたものであり、ひざ掛け、肩掛け等の掛け布や敷き布として使用できるだけでなく、コンパクトに折りたたみ、携帯具やクッション等として使用することができる掛け敷き布であって、掛け布や敷き布として使用する際には携帯具等の外側に現れる部分が内側に隠れるため、当該部分が汚れることを効率よく抑制することができることに加え、外側に現れる部分に対して掛け敷き布と異なる任意のデザインを施すことができるため、折りたたんで携帯して用いる場合の装飾性も良好な掛け敷き布を提供することにある。
【課題を解決するための手段】
【０００９】
本考案の請求項１に係る第１考案の掛け敷き布は、略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体には固定されず、前記別布の残りの２辺と前記第２の別布の残りの２辺の対応する辺同士が接合され、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする。
【００１０】
本考案の請求項２に係る第２考案の掛け敷き布は、略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体の少なくとも一つに固定され、前記別布の残りの２辺と前記第２の別布の残りの２辺の対応する辺同士が接合され、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする。
【００１１】
本考案の請求項３に係る掛け敷き布は、前記した請求項１または請求項２において、前記別布及び／または前記第２の別布の表面に対して装飾処理が施されていることを特徴とする。
【００１２】
本考案の請求項４に係る掛け敷き布は、前記した請求項１ないし請求項３のいずれかにおいて、前記別布及び前記第２の別布の形状が、前記掛け敷き布の横辺の１／２と同じかやや長い長さを長辺または短辺とする略長方形状、あるいは前記掛け敷き布の横辺の１／３と同じかやや長い長さを長辺または短辺とする略長方形状であることを特徴とする。
【００１３】
本考案の請求項５に係る掛け敷き布は、前記した請求項１ないし請求項３のいずれかにおいて、前記別布及び前記第２の別布の形状が、前記掛け敷き布の横辺の１／２と同じかやや長い長さを１辺とする略正方形状、あるいは前記掛け敷き布の横辺の１／３と同じかやや長い長さを１辺とする略正方形状であることを特徴とする。
【００１４】
本考案の請求項６に係る掛け敷き布は、前記した請求項１ないし請求項５のいずれかにおいて、前記別布及び／または前記第２の別布の表面における任意の隅部あるいは隅部付近にタブが取り付けられていることを特徴とする。
【考案の効果】
【００１５】
本考案の請求項１に係る掛け敷き布は、掛け布や敷き布として使用できるだけでなく、折りたたんだ状態で、第１の布体及び第２の布体の内面に載置した別布及び第２の別布を外側に現し、リバーシブルファスナーを閉じることにより携帯具として、あるいは、第１の布体及び第２の布体として緩衝性のある布地を用いた場合にはクッションとして使用することができる。また、折りたたんで携帯具等として使用できることにより、掛け敷き布として使用しない場合にも、保管について場所をとらず、携帯性・収納性にも優れる掛け敷き布である。更には、このように収納性に富んだ掛け敷き布となるので、掛け敷き布を常に身近に携帯することもでき、また、掛け敷き布を見た目にもすっきりした状態で片付けることができる等の利点もある。
【００１６】
加えて、折りたたんだ状態で外側に現れる別布及び第２の別布が、第１の布体等の内面に載置されることにより掛け敷き布の内側に隠れるため、通常の掛け布や敷き布として使用する場合には別布等が汚れることが全くなく、掛け敷き布の汚損を効率よく抑制することができる。そして、掛け敷き布の外観としても、通常の掛け敷き布等として使用する場合には、別布等が外側に現れないことから美観も向上し、また、別布等に対して掛け敷き布と異なる任意のデザインを施すことができるため、携帯具やクッションとして用いる場合におけるデザインのバリエーションが広がり、装飾性が良好な掛け敷き布となる。更には、本考案の掛け敷き布を構成する別布と第２の別布における、別布の隅部あるいは第２の別布の隅部から延びる２辺以外の残りの２辺が、第１の布体及び第２の布体と固定されず、当該残りの２辺のそれぞれ対応する辺（向かい合う辺）同士が接合されているので、かかる２辺同士の接合状態が良好であるとともに、別布及び第２の別布を第２の布体に固定するための縫い目等が外部に現れず、外観が良好となり、また、固定する縫製が不要な分、簡便に製造することができる。そして、第１の布体及び第２の布体を折りたたんで収納する作業に労力を必要とせず、楽に収納することができる。
【００１７】
なお、本考案において「掛け敷き布」とは、ひざ掛け、肩掛け、毛布、ベビー毛布、おくるみ、ベットパット、シュラフ等に代表される掛け布ないし敷き布を総称して呼ぶものであり、また、掛け布団、敷き布団等をも含むものである。
【００１８】
本考案の第２考案である請求項２の掛け敷き布は、前記した第１考案の掛け敷き布と比べて、掛け敷き布を構成する別布と第２の別布における、別布の隅部あるいは第２の別布の隅部から延びる２辺以外の残りの２辺が、第１の布体及び第２の布体の少なくとも一つと固定されている点が相違し、それ以外の構成について共通するものであり、前記した第１考案の掛け敷き布と同様の効果を享受することができる。また、別布の残りの２辺及び第２の別布の残りの２辺の対応する辺同士が固定された状態で第１の布体及び第２の布体の少なくとも一つと一体となって固定されているので、当該２辺と掛け敷き布との固定状態が良好となり、折りたたんで携帯具やクッションとした場合の形状も整いやすくなる。
【００１９】
本考案の請求項３に係る掛け敷き布は、折りたたんで携帯具等とした場合に外側に現れる別布や第２の別布の表面に対して装飾処理が施されているので、携帯具等として使用した場合における装飾性がより向上した掛け敷き布となる。なお、装飾処理としては、別布等の表面に対して、例えば、模様、色彩、絵柄等を施すようにすればよく、また、別布と第２の別布の色（色相、明度、彩度）や柄（ストライプや花模様等）や素材（綿、麻、ポリエステル、皮革等）等を工夫し、コーディネートするようにしてもよい。
【００２０】
本考案の請求項４に係る掛け敷き布は、別布及び第２の別布の形状が、掛け敷き布の横辺の１／２と同じかやや長い長さを長辺または短辺とする略長方形状、あるいは掛け敷き布の横辺の１／３と同じかやや長い長さを長辺または短辺とする略長方形状としたので、折りたたんで携帯具等とした場合にあっては、使用性に優れた略長方形状の携帯具等が簡便に形成されることになる。
【００２１】
本考案の請求項５に係る掛け敷き布は、別布及び第２の別布の形状が、掛け敷き布の横辺の１／２と同じかやや長い長さを１辺とする略正方形状、あるいは掛け敷き布の横辺の１／３と同じかやや長い長さを１辺とする略正方形状としたので、折りたたんで携帯具等とした場合にあっては、使用性に優れた略正方形状の携帯具等が簡便に形成されることになる。
【００２２】
本考案の請求項６に係る掛け敷き布は、別布及び／または第２の別布の表面における任意の隅部あるいは隅部付近にタブが取り付けられているので、これら別布及び第２の別布を外側に現して携帯具等として使用する場合にあっては、当該携帯具等の隅部にかかるタブが現れることとなる。そして、タブを引っ張ることにより携帯具等の格好が整えやすくなる等、携帯具等としての使い勝手が向上する。
【考案を実施するための最良の形態】
【００２３】
［第１実施形態］
以下、本考案の第１実施形態を図面に基づいて説明する。
【００２４】
（Ｉ）本考案の掛け敷き布１の構成：
図１ないし図５を用いて、本考案の掛け敷き布の一態様の構成を説明する。図１は、本考案の第１実施形態に係る掛け敷き布の正面図、図２は掛け敷き布の背面図、図３は隅部付近の部分拡大図、図４は図１において第１の布体と第２の布体を開いた展開図、図５は図１のＶ−Ｖ断面図、をそれぞれ示す。図１ないし図５中、１は掛け敷き布、１１は第１の布体、１２は第２の布体、１４は別布、１５は第２の別布、１６はリバーシブルファスナー、１８はタブ、をそれぞれ示す。なお、図４にあっては、リバーシブルファスナー１６は図示していない。また、図１等にあって、掛け敷き布１の縦辺は長辺、横辺は短辺をいうものとする。
【００２５】
本実施形態の掛け敷き布１は、図１ないし図５に示すように、縦長の略矩形状の第１の布体１１及び第２の布体１２を備え、この第１の布体１１と第２の布体１２を重ね合わせて袋状としている。また、図１ないし図５に示すように、第１の布体１１の内面には、略長方形状の別布１４が、当該別布の隅部１４ａが第１の布体の隅部１１ａに当接するように載置されている。かかる別布１４は、後記する第２の別布１５とともに、掛け敷き布１を折りたたんだ状態で携帯具３（図１１参照）とした場合に外側に現れる部分となる。別布１４には、装飾性を備えるべく、表面（第２の布体１２の内面と対向する面であり、折りたたんだ状態で携帯具３とした場合に外側に現れる面のこと。以下別布１４について同。）に対して模様（格子模様）が施されている。
【００２６】
また、図１ないし図５に示すように、略長方形状の別布１４は、４辺のうち別布の隅部
１４ａから延びる２辺１４ｘ，１４ｙ（図３及び図４参照）については、第１の布体の隅部１１ａから延びる縦辺１１ｘ及び横辺１１ｙ（図３及び図４参照）に当接した状態で後記するリバーシブルファスナー１６とともに縫製されて固定される。
【００２７】
図２は、掛け敷き布１の背面図、図３は、隅部付近の部分拡大図、図４は、図１において第１の布体１１と第２の布体１２を開いた展開図である。また、図５は、図１のＶ−Ｖ断面図である。別布１４の残りの２辺１４ｖ，１４ｚは、後記する第２の別布１５の残りの２辺１５ｖ，１５ｚ（４辺のうち第２の別布の隅部１５ａから延びる２辺以外の残りの２辺）と併せて、第１の布体１１及び第２の布体１２には固定されていない。従って、外部には別布１４や第２の別布１５と第２の布体等１１，１２を固定するための縫い目は現れず、外観も良好となり、また、当該固定する手間も省け、簡便に製造することができる。なお、別布１４の残りの２辺１４ｖ，１４ｚは、後記する第２の別布１５の残りの２辺１５ｖ，１５ｚと、それぞれの対応する辺（向かい合う辺のこと。ここでは１４ｖと１５ｖ、１４ｚと１５ｚ）同士が互いに当接された状態で接合されている
【００２８】
なお、図４にあっては、実際は、別布の隅部１４ａは第１の布体の隅部１１ａに当接し、別布の隅部１４ａから延びる２辺１４ｘ，１４ｙが、第１の布体の隅部１１ａから延びる縦辺１１ｘ及び横辺１１ｙに当接した状態で後記するリバーシブルファスナー１６とともに縫製されて固定されているものである。なお、別布１４における、別布の隅部１４ａから延びる２辺については、第１の布体の隅部１１ａから延びる縦辺１１ｘ及び横辺１１ｙに当接した状態で固定されているが、当該縦辺１１ｘ及び横辺１１ｙに沿った状態で固定されるようにしても構わない。
【００２９】
また、前記した別布１４と同じ形状の第２の別布１５が第２の布体１２の内面に載置されている。この第２の別布１５は、第２の別布の隅部１５ａが第２の布体の隅部１２ａに当接するようにして載置され、前記した別布１４と同様、表面（第１の布体１１の内面と対向する面であり、携帯具３として使用した場合に、当該携帯具３の外側に現れる面のこと。以下第２の別布１５について同。）に格子模様が施されている。
【００３０】
略長方形状の第２の別布は、４辺のうち第２の別布の隅部１５ａから延びる２辺１５ｘ，１５ｙは、第２の布体の隅部１２ａから延びる縦辺１２ｘ及び横辺１２ｙに当接した状態で、後記するリバーシブルファスナー１６とともに縫製されて固定される（図３及び図４参照）。なお、かかる第２の別布１５における、第２の別布の隅部１５ａから延びる２辺については、別布１４と同様、第２の布体の隅部１２ａから延びる縦辺１２ｘ及び横辺１２ｙに当接した状態での固定のほか、当該縦辺１２ｘ及び横辺１２ｙに沿った状態で固定されるようにしても構わない。
【００３１】
なお、前記したように、別布１４と第２の別布１５において、４辺のうち別布の隅部１４ａから延びる２辺１４ｘ，１４ｙ以外の残りの２辺１４ｖ，１４ｚ、あるいは第２の別布の隅部１５ａから延びる２辺１５ｘ，１５ｙ以外の残りの２辺１５ｖ，１５ｚは、第１の布体１１及び第２の布体１２とは縫合・固定されず、それぞれの対応する辺（１４ｖと１５ｖ、及び１４ｚと１５ｚ）同士が互いに当接された状態で接合されている（図４等を参照）。
【００３２】
また、別布１４の２辺１４ｖ，１４ｚ、あるいは第２の別布１５ｖ，１５ｚが衝合する、別布１４及び第２の別布１５の表面における、別布の他の隅部１４ｂ（及び第２の別布の他の隅部１５ｂ）にはタブ１８が取り付けられている。このようにしてタブ１８が取り付けられていることにより、別布１４及び第２の別布１５が外側に現れて携帯具３（図１１参照）として使用する場合にあっては、当該携帯具３の隅部にかかるタブ１８が現れることとなる。そして携帯具３の隅部にあるタブを引っ張ることにより携帯具３の格好が整えやすくなる。なお、タブ１８の位置は、別布の他の隅部１４ｂ（及び第２の別布の他の隅部１５ｂ）付近としても問題はない。
【００３３】
本実施形態の掛け敷き布１のように、掛け敷き布１の縦辺と横辺（第１の布体１１及び第２の布体１２の縦辺と横辺と同様。）が概ね縦辺／横辺＝３／２とした構成にあっては、略長方形状の別布１４及び第２の別布１５の寸法は、１辺が掛け敷き布１の縦辺に対して１／６と同じかやや長い長さ、また、掛け敷き布１の横辺に対して１／２と同じかやや長い長さとすればよい。また、かかる寸法とした場合には、別布１４及び第２の別布１５は、掛け敷き布１全体の１／１２と同じかやや大きいサイズとなる。
【００３４】
また、別布１４及び第２の別布１５が載置された第１の布体及び第２の布体の隅部１１ａ，１２ａから延びる２辺には、別布及び第２の別布の隅部１４ａ，１５ａから延びる２辺に沿って、当該隅部１１ａ，１２ａから延びる縦辺及び横辺を一連に繋ぐようにしてリバーシブルファスナー１６が取り付けられている。これにより、第１の布体及び第２の布体の隅部１１ａ，１２ａから延びる２辺が開閉自在となる。リバーシブルファスナー１６は、スライダ１６１を、リバーシブルファスナー１６が取り付けられた隣り合う２辺（第１の布体及び第２の布体の隅部１１ａ，１２ａから延びる２辺と同意。）に沿ってスライドさせることにより開閉するようになっている。リバーシブルファスナー１６で開閉する手段としたことにより、見た目もすっきりする。
【００３５】
なお、かかるリバーシブルファスナー１６は、本実施形態のように、一つのリバーシブルファスナーを隅部１１ａ，１２ａから延びる縦辺及び横辺の一連に取り付け、当該隅部１１ａ，１２ａから延びる縦辺及び横辺を一連に繋ぐようにする構成のほか、２つのリバーシブルファスナーを隅部１１ａ，１２ａから延びる縦辺及び横辺のそれぞれに取り付けるようにしてもよい。
【００３６】
掛け敷き布１を構成する第１の布体１１及び第２の布体１２は、例えば、ひざ掛け、肩掛け、毛布、ベビー毛布、おくるみ、ベットパット、シュラフや、掛け布団、敷き布団等の掛け布や敷き布として通常使用される布で形成させればよく、例えば、綿、麻、絹等の天然繊維や、ポリエステル、アクリル等の合成繊維等の従来公知の繊維で形成させることができる。なお、第１の布体１１及び第２の布体１２をして緩衝性のある布地で形成されるようにすれば、折りたたんでなる携帯具３をクッションとすることができる。また、別布１４や第２の別布１５は、例えば、綿、麻、絹等の天然繊維や、ポリエステル、アクリル等の合成繊維等の従来公知の合成繊維や皮革、合成皮革等で形成させることができる。
【００３７】
本実施形態にあっては、第１の布体等１１，１２の他の辺については、第１の布体１１と第２の布体１２の周縁が縫製することにより袋状とされている。そして、使用に際しては、広げた状態で、通常の掛け布や敷き布として使用することができる。
【００３８】
（II）本考案の掛け敷き布１の携帯具３（図１１参照）としての使用方法の一例：
また、本考案の掛け敷き布１は、例えば、下記手順（１）〜（５）のようにして折りたたむことにより、携帯具３として使用することができる。
【００３９】
ここで、図６は掛け敷き布１を縦半分に折り返した状態を示した斜視図、図７は、縦半分に折り返した掛け敷き布１を更に内側に三つ折りにした状態を示した斜視図、図８は、三つ折りにした掛け敷き布１を更に外側に二つ折りにした状態を示した斜視図、図９は、リバーシブルファスナー１６を開け、第２の布体１２（及び第２の別布１５）を折り返した状態を示した斜視図、図１０は、第２の別布１５を捲り上げた状態を示した斜視図、図１１は携帯具３の斜視図、をそれぞれ示す。
【００４０】
（１）まず、使用者（図示しない）から見て、隅部１１ａ，１２ａ（図１参照）が左手前
となる状態として、図６のように、掛け敷き布１の縦辺同士が重なり合うようにして、図６の矢印方向に縦半分に折り返す。
【００４１】
（２）次いで、図７のように、図７の矢印方向に内側に三つ折りにする。これにより、縦
辺と横辺が概ね縦辺／横辺＝３／２とした当初の掛け敷き布１の１／６の大きさの略正方
形状となる。また、図８に示すように、内側に三つ折りにした状態の掛け敷き布を更に外側に二つ折りする。なお、この状態では、第２の布体１２が上面（図７の手前側）に現れていることになる。
【００４２】
（３）（２）の状態で、図９のように、リバーシブルファスナー１６を開けて、上面に現れている第２の布体１２を折り返す。これにより、第２の別布１５及び別布１４が現れることになる。
【００４３】
（４）第２の別布１５を引き上げ、当該第２の別布の隅部１５ａと別布の隅部１４ａが重
なり合い、別布１４及び第２の別布１５が外側に現れるように、第２の別布１５を図９の
矢印方向に捲り上げるようにする。これにより、折りたたまれた第１の布体１１、第２の布体１２は、図１０に示すように全て別布１４及び第２の別布１５に覆われることになる。また、別布１４及び第２の別布１５の表面における、別布の他の隅部１４ｂ（及び第２の別布の他の隅部１５ｂ）に取り付けられたタブ１８が、図１０に示すように、携帯具３の隅部に取り付けられたタブ１８として外側に現れることになる。
【００４４】
（５）最後に、リバーシブルファスナー１６を閉じて、取り付けられたタブ１８を引っ張ることにより、形状が整えられ、略長方形状の携帯具３となる（図１１参照）。また、このように携帯具３となった場合には、外側に現れるのは表面に模様が施された別布１４と第２の別布１５となり、装飾性が良好な携帯具３となる一方、第１の布体１１、第２の布体１２は全て別布１４及び第２の別布１５の内側に隠れ、携帯具３の外側に現れることはない。
【００４５】
（III）本考案の効果：
以上説明した構成の本考案の掛け敷き布１によれば、広げた状態で通常の掛け布や敷き布として使用できるだけでなく、例えば前記（１）〜（５）の手順により折りたたんだ状態で、別布１４及び第２の別布１５を外側に現し、リバーシブルファスナー１６を閉めることにより、コンパクトな携帯具３として使用することができる。また、携帯具３とすることができることにより、掛け布や敷き布として使用しない場合にも、保管について場所をとらず、携帯性・収納性にも優れる。また、折りたたんで携帯具３やクッションとした場合に外側に現れる別布１４及び第２の別布１５が、第１の布体１１や第２の布体１２の内面に載置されて掛け敷き布１の内側に隠れている構成を採用しているので、通常の掛け布や敷き布として使用する場合には別布等１４，１５が汚れることがなく、掛け敷き布１の汚損を効率よく抑制することができる。
【００４６】
また、掛け敷き布１の外観としても、通常の掛け布や敷き布として使用する場合には、別布１４や第２の別布１５が外側に現れないことから掛け敷き布１としての美観も向上する。そして、本実施形態にあっては、折りたたまれた携帯具３の外側に現れる別布１４及び第２の別布１５の表面には模様が施されているので、携帯具３として使用した場合における装飾性がより向上した掛け敷き布１となる。また、別布１４及び第２の別布１５の面積は第１の布体１１や第２の布体１２と比べて小さく、交換も容易なので、インテリア嗜好等に併せて、種々の模様等を施すことが可能となる。
【００４７】
［第２実施形態］
次に、本考案の第２考案の掛け敷き布の一態様の構成を説明する。前記した第１実施形態における第１考案の掛け敷き布１にあっては、図２や図４等に示すように、掛け敷き布１を構成する別布１４と第２の別布１５において、４辺のうち別布の隅部１４ａから延びる２辺１４ｘ，１４ｙ、あるいは第２の別布の隅部１５ａから延びる２辺１５ｘ，１５ｙ以外の残りの２辺１４ｖ，１４ｚ（別布１４における２辺）、１５ｖ，１５ｚ（第２の別布１５における２辺）は、対応する辺（１４ｖと１５ｖ、及び１４ｚと１５ｚ）が互いに当接された状態で、別布１４及び第２の別布１５の当該２辺（１４ｖと１５ｖ、及び１４ｚと１５ｚ）が一体になるようにして縫合・接合されている一方、第１の布体１１や第２の布体１２とは固定されていないものであった。
【００４８】
一方、本実施形態における第２考案の掛け敷き布１は、掛け敷き布１を構成する別布１４と第２の別布１５における、４辺のうち別布の隅部１４ａから延びる２辺１４ｘ，１４ｙ以外の残りの２辺１４ｖ，１４ｚ、あるいは第２の別布の隅部１５ａから延びる２辺１５ｘ，１５ｙ以外の残りの２辺１５ｖ，１５ｚは、２辺のそれぞれ対応する辺同士（１４ｖと１５ｖ、１４ｚと１５ｚ）が互いに当接された状態で、第２の布体１２と縫合・固定されている点で、第１実施形態に示す第１考案の掛け敷き布と相違する。
なお、以下の説明では、既に説明した部分と同一または略同一である部分については、同一の符号を付して説明を省略する。
【００４９】
第２考案の掛け敷き布１は、正面図については、第１実施形態に示す第１考案の掛け敷き布１と共通するが、４辺のうち別布の隅部１４ａあるいは第２の別布の隅部１５ａから延びる２辺以外の残りの２辺１４ｖ，１４ｚ，１５ｖ，１５ｚ（以下、単に「残りの２辺」ということもある。）が、第２の布体１２と縫合・固定されているため、背面の形態は図１２のようになる。図１２は、本実施形態に係る第２考案の掛け敷き布１を示す背面図であり、図２と異なり、掛け敷き布１の背面には、第２の布体１２と当該２辺１４ｖ，１４ｚ，１５ｖ，１５ｚを固定するための縫い目１９が現れることになる。
【００５０】
また、図１３は、図１２において、第１の布体１１と第２の布体１２を開いた展開図である。図１３に示すように、残りの２辺１４ｖ，１４ｚ，１５ｖ，１５ｚは、縫い目１９が形成されて第２の布体１２と縫合・固定されているため、図４のように、別布１４及び第２の別布１５を捲れ上げることができない。
【００５１】
本実施形態に係る第２の考案の掛け敷き布１にあっては、前記した以外の構成については、第１実施形態に係る第１の考案の掛け敷き布１と構成を共通する。したがって、使用方法も、前記した（II）に示す（１）〜（５）に則って行えばよく、また、第２の考案の掛け敷き布１が奏する効果についても、前記した（III）に示す第１実施形態に係る第１考案の掛け敷き布１の奏する効果を好適に享受することになる。
【００５２】
加えて、別布１４の残りの２辺１４ｖ，１４ｚ及び第２の別布１５の残りの２辺１５ｖ，１５ｚが対応する辺同士（１４ｖと１５ｖ、１４ｚと１５ｚ）が接合された状態で第２の布体１２と一体となって固定されているので、当該２辺（１４ｖと１５ｖ、１４ｚと１５ｚ）と掛け敷き布１との固定状態が良好となり、折りたたんで携帯具３やクッションとした場合の形状も整いやすくなる。
【００５３】
［実施形態の変形］
なお、以上説明した態様は、本考案の一態様を示したものであって、本考案は、前記し
た実施形態に限定されるものではなく、本考案の構成を備え、目的及び効果を達成できる
範囲内での変形や改良が、本考案の内容に含まれるものであることはいうまでもない。ま
た、本考案を実施する際における具体的な構造及び形状等は、本考案の目的及び効果を達
成できる範囲内において、他の構造や形状等としても問題はない。本考案は前記した各実
施形態に限定されるものではなく、本考案の目的を達成できる範囲での変形や改良は、本
考案に含まれるものである。
【００５４】
例えば、前記した第１実施形態等では、別布１４と第２の別布１５は、それぞれ別々の布で形成された構成を示したが、別布１４と第２の別布１５を一体化させて、１枚の布で形成させるようにしてもよい。これにより、布のロスを低減化でき、また、製造も簡略化できることにより、コストの削減につながる。また、第１の布体１１と第２の布体１２についても、一体化させて、１枚の布で形成させるようにしてもよい。
【００５５】
前記した第１実施形態等の掛け敷き布１は、図１等に示すように、掛け敷き布１の縦辺と横辺を概ね縦辺／横辺＝３／２、別布１４及び第２の別布１５の形状を略長方形状とし、また、これらの寸法は、短辺が掛け敷き布１の縦辺に対して１／６と同じかやや長い長さ、長辺が掛け敷き布１の横辺に対して１／２と同じかやや長い長さとし、別布１４及び第２の別布１５は、掛け敷き布１全体の１／１２と同じかやや大きいサイズとした態様を示したが、第１実施形態等において挙げた掛け敷き布１（第１の布体１１，第２の布体１２）、別布１４、第２の別布１５等の寸法等はあくまでも例示であり、これには限定されない。すなわち、本考案の掛け敷き布１（第１の布体１１及び第２の布体１２）における縦辺と横辺の比、別布１４及び第２の別布１５の形状や寸法は、任意に決定することができ、例えば、折りたたんで携帯具３とした場合に外側に現れる別布１４や第２の別布１５は、矩形状であれば、略長方形状のほか、略正方形状としてもよい。また、別布１４や第２の別布１５の寸法も、掛け敷き布１の横辺の１／２と同じかやや長い長さを長辺とする長方形とした前記した実施形態のほか、掛け敷き布１の横辺の１／２と同じかやや長い長さを短辺とする略長方形状、あるいは掛け敷き布１の横辺の１／２と同じかやや長い長さを１辺とする略正方形状としてもよい。加えて、別布及び第２の別布の形状が、掛け敷き布１の横辺の１／３と同じかやや長い長さを長辺または短辺とする略長方形状や、掛け敷き布１の横辺の１／３と同じかやや長い長さを１辺とする略正方形状としても問題はない。また、別布１４や第２の別布１５は、掛け敷き布１の寸法に対してここに示す以外の寸法の略長方形状や略正方形状としても全く問題はない。
【００５６】
また、かかる形状を任意に設定することにより、前記した第１実施形態における（１）〜（５）で示した使用方法についても、例えば（１）における縦半分の折り返しが、三つ折りないしはそれ以上の折り返しとなり、（２）における三つ折りについても、四つ折りあるいはそれ以上の折りとなる場合もあり、これらの方法については、掛け敷き布１（第１の布体１１及び第２の布体１２）の縦辺と横辺の比、別布１４及び第２の別布１５の形状や寸法等により、掛け敷き布１を適当に折りたたんで、その後、別布１４及び第２の別布１５が外側に現れるようにできる方法として、適宜決定することができる。
【００５７】
前記した第２実施形態において、第２考案の掛け敷き布１が、掛け敷き布１を構成する別布１４と第２の別布１５における、４辺のうち別布の隅部１４ａから延びる２辺以外の残りの２辺１４ｖ，１４ｚ、あるいは第２の別布の隅部１５ａから延びる２辺以外の残りの２辺１５ｖ，１５ｚは、２辺のそれぞれ対応する辺同士（１４ｖと１５ｖ、１４ｚと１５ｚ）が互いに当接された状態で、第２の布体１２と縫合・固定されている態様を示したが、第２考案の掛け敷き布１は、当該残りの２辺１４ｖ，１４ｚ，１５ｖ，１５ｚは、第１の布体１１と縫合・固定されていてもよく、また、第１の布体１１及び第２の布体１２の両方に縫合・固定されていてもよい。
【００５８】
また、前記した第１実施形態等では、折りたたんで携帯具３とした場合に外側に現れる別布１４及び第２の別布１５の表面の装飾性を向上させるべく、これらの表面に格子模様を施した態様を示したが、別布等１４，１５に対しては任意のデザインを施すことができる。装飾性を向上させるための装飾処理としては、模様の他、例えば、色彩、絵柄等を施すようにすればよい。また、別布１４と第２の別布１５の色、柄、素材等を工夫し、コーディネートすることも可能である。
その他、本考案の実施の際の具体的な構造及び形状等は、本考案の目的を達成できる範
囲で他の構造等としてもよい。
【産業上の利用可能性】
【００５９】
本考案の掛け敷き布は、折りたたんで携帯することが可能な、ひざ掛け、肩掛け、毛布、ベビー毛布、おくるみ、ベットパット、シュラフや、掛け布団、敷き布団等に代表される掛け布ないしは敷き布として有利に使用することができる。
【図面の簡単な説明】
【００６０】
【図１】本考案の第１実施形態に係る掛け敷き布を示す正面図である。
【図２】図１の掛け敷き布を示す背面図である。
【図３】図１において、隅部付近の部分拡大図である。
【図４】図１において、第１の布体と第２の布体を開いた展開図である。
【図５】図１のＶ−Ｖ断面図である。
【図６】掛け敷き布を縦半分に折り返した状態を示した斜視図である。
【図７】掛け敷き布を更に内側に三つ折りにした状態を示した斜視図である。
【図８】三つ折りにした掛け敷き布を更に外側に二つ折りにした状態を示した斜視図である。
【図９】リバーシブルファスナーを開け、第２の布体を折り返した状態を示した斜視図である。
【図１０】第２の別布を捲り上げた状態を示した斜視図である。
【図１１】携帯具の斜視図である。
【図１２】本考案の第２実施形態に係る掛け敷き布を示す背面図である。
【図１３】図１２において、第１の布体と第２の布体を開いた展開図である。
【符号の説明】
【００６１】
１    掛け敷き布
３    携帯具
１１    第１の布体
１１ａ  第１の布体の隅部
１１ｘ  第１の布体の隅部から延びる縦辺
１１ｙ  第１の布体の隅部から延びる横辺
１２    第２の布体
１２ａ  第２の布体の隅部
１２ｘ  第２の布体の隅部から延びる縦辺
１２ｙ  第２の布体の隅部から延びる横辺
１４    別布
１４ａ  別布の隅部
１４ｂ  別布の他の隅部
１４ｘ，１４ｙ    別布の隅部から延びる２辺
１４ｖ、１４ｚ    残りの２辺
１５    第２の別布
１５ａ  第２の別布の隅部
１５ｂ  第２の別布の他の隅部
１５ｘ，１５ｙ    第２の別布の隅部から延びる２辺
１５ｖ、１５ｚ    残りの２辺
１６    リバーシブルファスナー
１６１  スライダ
１８    タブ
１９    縫い目
【図１】
0003127128.tif 000003
【図２】
0003127128.tif 000004
【図３】
0003127128.tif 000005
【図４】
0003127128.tif 000006
【図５】
0003127128.tif 000007
【図６】
0003127128.tif 000008
【図７】
0003127128.tif 000009
【図８】
0003127128.tif 000010
【図９】
0003127128.tif 000011
【図１０】
0003127128.tif 000012
【図１１】
0003127128.tif 000013
【図１２】
0003127128.tif 000014
【図１３】
0003127128.tif 000015
【手続補正書】
【提出日】平成18年9月15日(2006.9.15)
【手続補正１】
【補正対象書類名】実用新案登録請求の範囲
【補正対象項目名】請求項１
【補正方法】変更
【補正の内容】
【請求項１】
略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体には固定されず、前記別布の残りの２辺と前記第２の別布の残りの２辺の対応する辺同士が接合され、前記別布及び前記第２の別布は前記掛け敷き布の内側に隠れ、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする掛け敷き布。
【手続補正２】
【補正対象書類名】実用新案登録請求の範囲
【補正対象項目名】請求項２
【補正方法】変更
【補正の内容】
【請求項２】
略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体の少なくとも一つに固定され、前記別布の残りの２辺と前記第２の別布の残りの２辺の対応する辺同士が接合され、前記別布及び前記第２の別布は前記掛け敷き布の内側に隠れ、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする掛け敷き布。
【手続補正３】
【補正対象書類名】明細書
【補正対象項目名】０００２
【補正方法】変更
【補正の内容】
【０００２】
人体の保温等の目的で、ひざ掛け、肩掛け、毛布、ベビー毛布、おくるみ、ベットパット、シュラフ等の掛け布ないし敷き布（以下、総称して「掛け敷き布」という場合がある。）が広く使用されている。例えば、ひざ掛けは、椅子等に着座している使用者の保温等の目的で使用され、具体的には、上部領域を大腿部の上に載せ、下部領域を下腿部の前方及び側方に垂らした状態で使用される。一方、これらの掛け敷き布は、携帯性に乏しく、たとえ薄手のものであっても、それを持ち運ぶためにはある程度の大きさまでそれを折りたたんで手提げ袋等に収納する必要があった。
【手続補正４】
【補正対象書類名】明細書
【補正対象項目名】０００９
【補正方法】変更
【補正の内容】
【０００９】
本考案の請求項１に係る第１考案の掛け敷き布は、略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体には固定されず、前記別布の残りの２辺と前記第２の別布の残りの２辺の対応する辺同士が接合され、前記別布及び前記第２の別布は前記掛け敷き布の内側に隠れ、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする。
【手続補正５】
【補正対象書類名】明細書
【補正対象項目名】００１０
【補正方法】変更
【補正の内容】
【００１０】
本考案の請求項２に係る第２考案の掛け敷き布は、略矩形状の第１の布体と第２の布体を重ね合わせて袋状とした掛け敷き布であって、前記第１の布体の内面には、略矩形状の別布が、当該別布の隅部が前記第１の布体の隅部に当接するように載置され、前記別布の４辺のうち前記別布の隅部から延びる２辺は、前記第１の布体の隅部から延びる縦辺及び横辺に当接あるいは沿った状態で固定され、前記第２の布体の内面には、前記別布と略同形状の第２の別布が、当該第２の別布の隅部が前記第２の布体の隅部に当接するように載置され、前記第２の別布の４辺のうち前記第２の別布の隅部から延びる２辺は、前記第２の布体の隅部から延びる縦辺及び横辺に当接あるいは沿った状態で固定され、前記別布の残りの２辺と前記第２の別布の残りの２辺は、前記第１の布体及び前記第２の布体の少なくとも一つに固定され、前記別布の残りの２辺と前記第２の別布の残りの２辺の対応する辺同士が接合され、前記別布及び前記第２の別布は前記掛け敷き布の内側に隠れ、前記第１の布体の隅部及び前記第２の布体の隅部から延びる２辺には、前記別布及び前記第２の別布の隅部から延びる２辺に沿ってリバーシブルファスナーが取り付けられ、前記第１の布体の隅部及び前記第２の布体の隅部から延びる２辺が開閉自在とされていることを特徴とする。
【手続補正６】
【補正対象書類名】明細書
【補正対象項目名】００１７
【補正方法】変更
【補正の内容】
【００１７】
なお、本考案において「掛け敷き布」とは、ひざ掛け、肩掛け、毛布、ベビー毛布、おくるみ、ベットパット、シュラフ等に代表される掛け布ないし敷き布を総称して呼ぶものである。
【手続補正７】
【補正対象書類名】明細書
【補正対象項目名】００３６
【補正方法】変更
【補正の内容】
【００３６】
掛け敷き布１を構成する第１の布体１１及び第２の布体１２は、例えば、ひざ掛け、肩掛け、毛布、ベビー毛布、おくるみ、ベットパット、シュラフ等の掛け布や敷き布として通常使用される布で形成させればよく、例えば、綿、麻、絹等の天然繊維や、ポリエステル、アクリル等の合成繊維等の従来公知の繊維で形成させることができる。なお、第１の布体１１及び第２の布体１２をして緩衝性のある布地で形成されるようにすれば、折りたたんでなる携帯具３をクッションとすることができる。また、別布１４や第２の別布１５は、例えば、綿、麻、絹等の天然繊維や、ポリエステル、アクリル等の合成繊維等の従来公知の合成繊維や皮革、合成皮革等で形成させることができる。
【手続補正８】
【補正対象書類名】明細書
【補正対象項目名】００５９
【補正方法】変更
【補正の内容】
【００５９】
本考案の掛け敷き布は、折りたたんで携帯することが可能な、ひざ掛け、肩掛け、毛布、ベビー毛布、おくるみ、ベットパット、シュラフ等に代表される掛け布ないしは敷き布として有利に使用することができる。